(57)【要約】【課題】同一のストーリーに基づいて作成された複数のコンテンツについてストーリー上の同一箇所を確認する操作を提供できるプログラムを提供することを課題とする。【解決手段】第１のコンテンツと、第１のコンテンツのストーリーに基づき作成された第２のコンテンツと、が表示される表示部を有するコンテンツ表示装置を、第１のコンテンツを表示部に表示させる手段、第１のコンテンツを構成する一表示領域が表示されている際に、第１のコンテンツを構成する一表示領域に対応付けられている第２のコンテンツの一表示領域を表示する操作をユーザから受け付ける手段、および受け付ける手段により第２のコンテンツを表示する操作を受け付けると、表示部に表示されている第１のコンテンツを構成する一表示領域と対応付けられている第２のコンテンツを構成する一表示領域を表示部に表示させる手段、として機能させるためのプログラムにより上記課題を解決する。【選択図】図１０
2017156838.tif 000002
【特許請求の範囲】
【請求項１】
第１のコンテンツと、前記第１のコンテンツのストーリーに基づき作成された第２のコンテンツと、が表示される表示部を有するコンテンツ表示装置を、
前記第１のコンテンツを前記表示部に表示させる手段、
前記第１のコンテンツを構成する一表示領域が前記表示部に表示されている際に、該表示部に表示されている前記第１のコンテンツを構成する一表示領域に対応付けられている前記第２のコンテンツの一表示領域を表示する操作をユーザから受け付ける手段、および
前記受け付ける手段により前記第２のコンテンツを表示する操作を受け付けると、前記表示部に表示されている前記第１のコンテンツを構成する一表示領域と対応付けられている前記第２のコンテンツを構成する一表示領域を前記表示部に表示させる手段、
として機能させるためのプログラム。
【請求項２】
前記表示領域に表示されたページ、コマ又はシーンにより前記第１のコンテンツを構成する一表示領域と前記第２のコンテンツを構成する一表示領域とが対応付けられること
を特徴とする請求項１記載のプログラム。
【請求項３】
第１のコンテンツと、前記第１のコンテンツのストーリーに基づき作成された第２のコンテンツと、をコンテンツ表示装置に表示させるサーバ装置であって、
前記ストーリーの同一箇所を表す前記第１のコンテンツを構成する表示領域と前記第２のコンテンツを構成する表示領域とを対応付けて記憶する手段と、
前記第１のコンテンツを構成する一表示領域が表示されている前記コンテンツ表示装置にて該表示されている前記第１のコンテンツを構成する一表示領域に対応付けられている前記第２のコンテンツを構成する一表示領域を表示する操作をユーザから受け付けられると、前記表示されている前記第１のコンテンツを構成する一表示領域に対応付けられている前記第２のコンテンツを構成する一表示領域を前記コンテンツ表示装置に表示させる手段と、
を備えることを特徴とするサーバ装置。
【請求項４】
第１のコンテンツと、前記第１のコンテンツのストーリーに基づき作成された第２のコンテンツと、をコンテンツ表示装置に表示させるサーバ装置を含むシステムが実行するコンテンツ表示方法であって、
前記コンテンツ表示装置に前記第１のコンテンツを表示させるステップと、
前記第１のコンテンツを構成する一表示領域が表示されている前記コンテンツ表示装置にて該表示されている前記第１のコンテンツを構成する一表示領域に対応付けられている前記第２のコンテンツを構成する一表示領域を表示する操作をユーザから受け付けられると、前記表示されている前記第１のコンテンツを構成する一表示領域に対応付けられている前記第２のコンテンツを構成する一表示領域を前記コンテンツ表示装置に表示させるステップと、
を備えることを特徴とするコンテンツ表示方法。
【発明の詳細な説明】
【技術分野】
【０００１】
本発明はプログラム、サーバ装置及びコンテンツ表示方法に関する。
【背景技術】
【０００２】
情報処理装置の普及に伴い、電子書籍、ビデオ映像などの動画、ウェブページ、音楽など各種コンテンツをネットワークや記録媒体を介して取得し、情報処理装置によって個人で楽しむことは、日常的に行われるようになっている（特許文献１参照）。
【先行技術文献】
【特許文献】
【０００３】
【特許文献１】特開２０１５−１８４７８６号公報
【発明の概要】
【発明が解決しようとする課題】
【０００４】
例えば紙書籍や電子書籍で人気化したコンテンツは、別形態のコンテンツ（例えばアニメ化や実写化された動画など）として提供されることがある。この場合、別形態のコンテンツは紙書籍や電子書籍で人気化したコンテンツのストーリーに基づいて作成されることになる。また、動画で人気化したコンテンツも、電子書籍などの別形態のコンテンツとして提供されることがある。このように、一の形態のコンテンツは同一のストーリーに基づいて作成された他の形態のコンテンツとして提供されることがあった。
【０００５】
このような同一のストーリーに基づいて作成された複数のコンテンツを利用したユーザは、ストーリー上の同一場面（同一箇所）について、それぞれのコンテンツがどのように表しているのかを確認したいと思うかもしれない。
【０００６】
本発明の一態様は、同一のストーリーに基づいて作成された複数のコンテンツについてストーリー上の同一箇所を確認する操作を提供できるプログラムを提供することを目的とする。
【課題を解決するための手段】
【０００７】
上記の課題を解決するため、本発明の一態様は、第１のコンテンツと、前記第１のコンテンツのストーリーに基づき作成された第２のコンテンツと、が表示される表示部を有するコンテンツ表示装置を、前記第１のコンテンツを前記表示部に表示させる手段、前記第１のコンテンツを構成する一表示領域が前記表示部に表示されている際に、該表示部に表示されている前記第１のコンテンツを構成する一表示領域に対応付けられている前記第２のコンテンツの一表示領域を表示する操作をユーザから受け付ける手段、および前記受け付ける手段により前記第２のコンテンツを表示する操作を受け付けると、前記表示部に表示されている前記第１のコンテンツを構成する一表示領域と対応付けられている前記第２のコンテンツを構成する一表示領域を前記表示部に表示させる手段、として機能させるためのプログラムであることを特徴とする。
【発明の効果】
【０００８】
本発明の一態様によれば、同一のストーリーに基づいて作成された複数のコンテンツについてストーリー上の同一箇所を確認する操作を提供できる。
【図面の簡単な説明】
【０００９】
【図１】本発明の一実施形態に係る情報処理システムの構成図である。
【図２】本発明の一実施形態に係るコンピュータのハードウェア構成図である。
【図３】本発明の一実施形態に係るコンテンツ表示装置及びサーバ装置の機能ブロック図である。
【図４】本発明の一実施形態に係るコンテンツ表示装置及びサーバ装置の機能ブロック図である。
【図５】本発明の一実施形態に係る同一場面対応付け情報の構成図である。
【図６】本発明の一実施形態に係る同一場面対応付け情報の構成図である。
【図７】本発明の一実施形態に係る同一場面対応付け情報の構成図である。
【図８】本発明の一実施形態に係る情報処理システムの処理手順を示すフローチャートである。
【図９】本発明の一実施形態に係る同一場面表示制御処理の一例のフローチャートである。
【図１０】本発明の一実施形態に係るコンテンツ表示装置の画面イメージ図である。
【図１１】本発明の一実施形態に係るコンテンツ表示装置の画面イメージ図である。
【発明を実施するための形態】
【００１０】
以下、本発明を実施するための形態について図面を参照しながら説明する。なお、本発明を実施するための形態は下記の実施形態に限定されるものでなく、本発明の技術的範囲に属する様々な実施形態を採りうる。
［第１の実施形態］
＜システム構成＞
図１は、本発明の一実施形態に係る情報処理システムの構成図である。図１の情報処理システム１は１台以上のコンテンツ表示装置１０とサーバ装置１２とがインターネット等のネットワーク１４を介して接続されている。コンテンツ表示装置１０はコンテンツを閲覧するユーザが操作する例えばＰＣ、スマートフォン、タブレットなどのクライアント装置である。サーバ装置１２はコンテンツ表示装置１０でユーザにより閲覧されるコンテンツの管理や制御等を行う。なお、本発明は図１に示すクライアント・サーバ型の情報処理システム１の他、ＣＤやＤＶＤなどの記録媒体からコンテンツを取得できるコンテンツ表示装置１０にも適用可能である。図１の情報処理システム１は一例であって、用途や目的に応じて様々なシステム構成例があることは言うまでもない。例えば図１のサーバ装置１２は単一のコンピュータであっても、複数のコンピュータに分散して構成してもよい。
【００１１】
＜ハードウェア構成＞
図１のコンテンツ表示装置１０及びサーバ装置１２は、例えば図２に示すハードウェア構成のコンピュータにより実現される。図２は、本発明の一実施形態に係るコンピュータのハードウェア構成図である。
【００１２】
図２のコンピュータは、入力装置５０１、表示装置５０２、外部Ｉ／Ｆ５０３、ＲＡＭ５０４、ＲＯＭ５０５、ＣＰＵ５０６、通信Ｉ／Ｆ５０７、及びＨＤＤ５０８などを備えており、それぞれがバスＢで相互に接続されている。なお、入力装置５０１及び表示装置５０２は必要なときに接続して利用する形態であってもよい。なお、本実施形態におけるコンテンツは、表示装置５０２に表示領域が表示される様々な形態のコンテンツ（例えば電子書籍、動画、ゲームなど）を含む。入力装置５０１はユーザが各種信号を入力するのに用いるタッチパネル、操作キーやボタン、キーボードやマウスなどである。表示装置５０２は画面を表示する液晶や有機ＥＬなどのディスプレイである。通信Ｉ／Ｆ５０７は、ローカルエリアネットワーク（ＬＡＮ）やインターネットなどのネットワークに接続するためのインタフェースである。コンテンツ表示装置１０は通信Ｉ／Ｆ５０７を利用することでサーバ装置１２からプログラムやコンテンツなどをダウンロードできる。また、ＨＤＤ５０８はプログラムやコンテンツを格納する不揮発性の記憶装置の一例である。格納されるプログラムには基本ソフトウェアであるＯＳやアプリケーションソフトウェアなどが含まれる。図２のコンピュータはＨＤＤ５０８に替えて、記憶媒体としてフラッシュメモリを用いるドライブ装置（例えばソリッドステートドライブ：ＳＳＤ）やメモリカードなどの記憶装置を利用するものであってもよい。
【００１３】
外部Ｉ／Ｆ５０３は記録媒体５０３ａなどの外部装置とのインタフェースである。図２のコンピュータは外部Ｉ／Ｆ５０３を利用して記録媒体５０３ａの読み取り及び／又は書き込みを行うことができる。記録媒体５０３ａはフレキシブルディスク、ＣＤ、ＤＶＤ、ＳＤメモリカード、ＵＳＢメモリなどである。ＲＯＭ５０５は、電源を切ってもプログラムやコンテンツを保持できる不揮発性の半導体メモリ（記憶装置）の一例である。ＲＯＭ５０５には、コンピュータの起動時に実行されるＢＩＯＳなどのプログラム、ＯＳ設定やネットワーク設定などの各種設定が格納されている。ＲＡＭ５０４はプログラムやコンテンツを一時保持する揮発性の半導体メモリ（記憶装置）の一例である。ＣＰＵ５０６はＲＯＭ５０５やＨＤＤ５０８などの記憶装置からプログラムやコンテンツをＲＡＭ５０４上に読み出し、処理を実行する演算装置である。本実施形態に係るコンテンツ表示装置１０及びサーバ装置１２は上記したハードウェア構成においてプログラムを実行することにより後述するような各種処理を実現できる。
【００１４】
＜ソフトウェア構成＞
本実施形態に係るコンテンツ表示装置１０及びサーバ装置１２は、例えば図３に示す機能ブロックにより実現される。図３は本発明の一実施形態に係るコンテンツ表示装置及びサーバ装置の機能ブロック図である。コンテンツ表示装置１０は、表示コンテンツ取得部２０、コンテンツ表示制御部２２、同一場面表示操作受付部２４、同一場面表示制御部２６、コンテンツ記憶部２８、同一場面対応付け情報記憶部３０を有する。また、サーバ装置１２は、表示コンテンツ提供部４０、コンテンツ記憶部４２、同一場面対応付け情報記憶部４４を有する。
【００１５】
サーバ装置１２のコンテンツ記憶部４２にはコンテンツ表示装置１０に提供されるコンテンツが記憶されている。コンテンツ記憶部４２に記憶されているコンテンツには同一のストーリーに基づいて作成された様々な形態（電子書籍、動画など）のコンテンツが含まれている。例えば、電子書籍のコンテンツと、その電子書籍のコンテンツのストーリーに基づいて作成された動画のコンテンツとは、同一のストーリーに基づいて作成されたコンテンツである。なお、同一のストーリーに基づいて作成されたコンテンツには一の形態のコンテンツのストーリーの一部を修正したストーリーに基づいて作成されたコンテンツも含まれていても良い。同一のストーリーに基づいて作成されたコンテンツは、ストーリー上の同一場面（同一箇所）が含まれている。なお、一の形態のコンテンツ（例えば、電子書籍）は、同一ストーリーに基づいて作成された別の形態のコンテンツ（例えば、動画）には無い場面を含んでいても良い。そこで、サーバ装置１２は同一のストーリーに基づいて作成されたコンテンツの同一場面を対応付けた後述の同一場面対応付け情報を同一場面対応付け情報記憶部４４に記憶し、利用している。表示コンテンツ提供部４０はコンテンツ記憶部４２に記憶されているコンテンツ及び同一場面対応付け情報記憶部４４に記憶されている同一場面対応付け情報をコンテンツ表示装置１０に提供する。
【００１６】
コンテンツ表示装置１０の表示コンテンツ取得部２０はサーバ装置１２からコンテンツ及び同一場面対応付け情報を取得し、コンテンツ記憶部２８及び同一場面対応付け情報記憶部３０に記憶させる。コンテンツ表示制御部２２は表示装置５０２へのコンテンツの表示を制御する。例えばコンテンツ表示制御部２２は、電子書籍の形態であるコンテンツの場合、表示装置５０２に表示されているページを進める操作やページを戻す操作をユーザから受け付け、表示装置５０２に表示されているコンテンツのページ（表示領域）を進めたり戻したりする。また、コンテンツ表示制御部２２は、電子書籍の形態であるコンテンツであってページ単位に区切られていないコンテンツの場合、表示装置５０２に表示されているコンテンツの表示位置（表示領域）を上下や左右に変化させる操作（スクロール操作）をユーザから受け付け、表示装置５０２に表示されているコンテンツの表示領域を変化させる。さらに、動画の形態であるコンテンツの場合、コンテンツ表示制御部２２は表示装置５０２に表示されている動画の再生を開始する操作や一時停止する操作、早送りや早戻しの操作をユーザから受け付け、表示装置５０２に表示されている動画を再生、一時停止、早送りや早戻しする。
【００１７】
同一場面表示操作受付部２４はユーザから後述の同一場面表示操作を受け付け、同一場面表示制御部２６に通知する。同一場面表示操作をユーザから受け付けたことを通知されると同一場面表示制御部２６は、表示装置５０２に表示されているコンテンツの場面をコンテンツ表示制御部２２に確認する。ここでコンテンツの場面は、電子書籍の形態のコンテンツの場合にページやコマで表され、動画の形態のコンテンツの場合にシーンや再生時間などにより表される。同一場面表示制御部２６は表示装置５０２に表示されているコンテンツの場面と対応付けられている別コンテンツの場面情報を同一場面対応付け情報記憶部３０から取得する。同一場面表示制御部２６は取得した別コンテンツの場面情報に基づいて別コンテンツを表示コンテンツ取得部２０から取得する。表示コンテンツ取得部２０は別コンテンツがコンテンツ記憶部２８に記憶されていればコンテンツ記憶部２８から読み出して同一場面表示制御部２６に提供する。また、表示コンテンツ取得部２０は別コンテンツがコンテンツ記憶部２８に記憶されていなければサーバ装置１２から取得して同一場面表示制御部２６に提供する。同一場面表示制御部２６は取得した別コンテンツの場面情報に基づき、表示装置５０２に別コンテンツの場面を表示する。
【００１８】
このようにコンテンツ表示装置１０は同一場面表示操作をユーザから受け付けると、表示中のコンテンツと同一のストーリーに基づき作成された他のコンテンツの同一場面を表示する。したがって、ユーザは同一のストーリーに基づいて作成された複数のコンテンツのストーリー上の同一場面を容易に確認できる。
【００１９】
なお、本実施形態に係るコンテンツ表示装置１０及びサーバ装置１２は例えば図４に示す機能ブロックにより実現してもよい。図４は本発明の一実施形態に係るコンテンツ表示装置及びサーバ装置の機能ブロック図である。コンテンツ表示装置１０は、同一場面表示操作受付部２４、コンテンツ表示部３２及びコンテンツ表示操作受付部３４を有する。また、サーバ装置１２は表示コンテンツ提供部４０、コンテンツ記憶部４２、同一場面対応付け情報記憶部４４、コンテンツ表示制御部４６及び同一場面表示制御部４８を有する。図４の機能ブロックはコンテンツ表示制御部４６及び同一場面表示制御部４８がコンテンツ表示装置１０ではなく、サーバ装置１２に設けられている。図４の機能ブロックはコンテンツ表示制御や同一場面表示制御をサーバ装置１２で行うことが図３の機能ブロックと異なっているが、本実施形態の同一場面表示制御については同様である。このように本実施形態に係る情報処理システム１は同一場面表示制御をコンテンツ表示装置１０で行ってもよいし、サーバ装置１２で行ってもよい。
【００２０】
次に、同一場面対応付け情報記憶部４４に記憶されている同一場面対応付け情報について説明する。図５は本発明の一実施形態に係る同一場面対応付け情報の構成図である。図５の同一場面対応付け情報は形態が電子書籍（マンガ）であるコンテンツＡと形態が動画（アニメ）であるコンテンツＢとのストーリー上の同一場面をコンテンツＡのページとコンテンツＢのシーンとで対応付けている。なお、コンテンツＡとコンテンツＢとは同一のストーリーに基づいて作成されたコンテンツの一例である。例えば表示装置５０２に「コンテンツＡのページ１」が表示されている状態で同一場面表示操作をユーザから受け付けると、コンテンツ表示装置１０は図５の同一場面対応付け情報に基づき「コンテンツＢのシーン１」の再生を開始するか、又は、「コンテンツＢのシーン１」の頭出しを行う。また、例えば表示装置５０２に「コンテンツＢのシーン１」が表示されている状態で同一場面表示操作をユーザから受け付けると、コンテンツ表示装置１０は図５の同一場面対応付け情報に基づき「コンテンツＡのページ１」を表示する。
【００２１】
同一場面対応付け情報は図６のような構成であってもよい。図６は本発明の一実施形態に係る同一場面対応付け情報の構成図である。図６の同一場面対応付け情報は図５のコンテンツＡとコンテンツＢとのストーリー上の同一場面をコンテンツＡのコマとコンテンツＢの再生時間とで対応付けている。このように、同一場面対応付け情報は異なる形態のコンテンツの同一場面の対応付けを、そのコンテンツの表示領域を表した様々な場面情報により行うことができる。また、同一場面対応付け情報は例えば図７のような構成であってもよい。
【００２２】
図７は本発明の一実施形態に係る同一場面対応付け情報の構成図である。図７の同一場面対応付け情報は、形態が電子書籍（小説）であるコンテンツＡと形態が動画（映画）であるコンテンツＢとのストーリー上の同一場面をコンテンツＡのページ及び行とコンテンツＢのシーンとで対応付けている。なお、コンテンツＡとコンテンツＢとは同一のストーリーに基づいて作成されたコンテンツの一例である。例えば表示装置５０２に「コンテンツＡのページ１の１６行−ページ２の最終行の少なくとも一部」が表示されている状態で同一場面表示操作をユーザから受け付けると、コンテンツ表示装置１０は図７の同一場面対応付け情報に基づき「コンテンツＢのシーン２」の再生を開始するか、又は、「コンテンツＢのシーン２」の頭出しを行う。また、例えば表示装置５０２に「コンテンツＢのシーン２」が表示されている状態で同一場面表示操作をユーザから受け付けると、コンテンツ表示装置１０は図７の同一場面対応付け情報に基づき「コンテンツＡのページ１の１６行−ページ２の最終行」を表示する。
【００２３】
図５、図６及び図７の同一場面対応付け情報は異なる形態のコンテンツの同一場面を対応付ける例を示したが、同じ形態の別コンテンツの同一場面を対応付けてもよい。例えば電子書籍の形態の一のコンテンツから複数の制作者が動画の形態の複数のコンテンツを作成した場合は動画の形態のコンテンツの同一場面を対応付けておく。このような同じ形態の別コンテンツの同一場面を対応付けた同一場面対応付け情報を利用すると、コンテンツ表示装置１０はストーリー上の同一場面を同じ形態のコンテンツにおいて制作者がどのように作成したかの比較を容易に行える操作をユーザに提供できる。また、図５、図６及び図７の同一場面対応付け情報は２つのコンテンツの同一場面を対応付けているが、３つ以上のコンテンツの同一場面を対応付けるものであってもよい。さらに、図５、図６及び図７の同一場面対応付け情報は、２つのコンテンツの同一場面の全てを必ずしも対応付けておかなくてもよく、例えばユーザが関心を持ちそうな場面を選択して対応付けておいてもよい。
【００２４】
なお、図５、図６及び図７の同一場面対応付け情報を作成するタイミングは様々考えられる。例えば同一のストーリーに基づく複数のコンテンツが最初から作成されている場合は同一場面対応付け情報を予め作成してサーバ装置１２の同一場面対応付け情報記憶部４４に記憶しておくことが考えられる。また、例えばユーザによる閲覧が所定期間行われたあとのコンテンツのストーリーに基づいて別のコンテンツが作成された場合は、閲覧ログやユーザによる選択に基づき、ユーザが関心を持っていると考えられる場面を選択して同一場面対応付け情報を作成し、サーバ装置１２の同一場面対応付け情報記憶部４４に記憶しておいてもよい。また、同一場面対応付け情報の作成はサーバ装置１２の管理者などが手動で行ってもよいし、各形態のコンテンツからＯＣＲや音声認識などにより取得したテキスト同士を比較することで、同一場面を判断し、自動作成するようにしてもよい。
【００２５】
＜処理＞
次に、本実施形態に係る情報処理システム１の処理手順について説明する。なお、ここでは図３の機能ブロックにおける処理手順を例として説明する。図８は本発明の一実施形態に係る情報処理システムの処理手順を示すフローチャートである。図８に示す情報処理システム１の処理は、同一場面表示機能を提供するアプリケーションをユーザが起動することで開始される。
【００２６】
ステップＳ１１において、ユーザはコンテンツ表示装置１０を操作し、表示するコンテンツを指定する。ユーザからコンテンツを指定されたコンテンツ表示装置１０のコンテンツ表示制御部２２は指定されたコンテンツをコンテンツ記憶部２８から読み出して表示装置５０２に表示する。なお、指定されたコンテンツがコンテンツ記憶部２８に記憶されていなければ、コンテンツ表示制御部２２は表示コンテンツ取得部２０に指定されたコンテンツの取得を要求し、表示コンテンツ取得部２０がサーバ装置１２から取得したコンテンツをコンテンツ記憶部２８に記憶したあとでコンテンツを取得する。コンテンツ表示装置１０はユーザからの同一場面表示操作があれば（ステップＳ１２のＹｅｓ）、ステップＳ１３の同一場面表示制御処理を行う。また、コンテンツ表示装置１０はユーザからのコンテンツ表示制御操作があれば（ステップＳ１４のＹｅｓ）ステップＳ１５のコンテンツ表示制御処理を行う。ステップＳ１５のコンテンツ表示制御操作は、例えばコンテンツのページ（表示領域）を進めたり戻したりする操作、コンテンツの表示位置（表示領域）を上下や左右に変化させる操作、動画を再生、一時停止、早送りや早戻しする操作などである。ステップＳ１２〜Ｓ１５の処理はステップＳ１１で表示したコンテンツの表示をユーザが終了するまで繰り返し行われる。
【００２７】
ステップＳ１３の同一場面表示制御処理は例えば図９に示す手順で行う。図９は本発明の一実施形態に係る同一場面表示制御処理の一例のフローチャートである。ステップＳ２１に進み、同一場面表示制御部２６は、表示装置５０２に表示されているコンテンツの場面をコンテンツ表示制御部２２に確認する。例えば同一場面表示制御部２６は図５の同一場面対応付け情報の場合、表示装置５０２に表示されているコンテンツＡのページを確認する。ステップＳ２２に進み、同一場面表示制御部２６は表示装置５０２に表示されているコンテンツの場面に対応する別コンテンツの場面情報を同一場面対応付け情報記憶部３０から取得する。例えば同一場面表示制御部２６は図５の同一場面対応付け情報の場合、表示装置５０２に表示されているコンテンツＡのページと対応付けられているコンテンツＢのシーンの情報を取得する。ステップＳ２３に進み、同一場面表示制御部２６は取得した別コンテンツの場面情報に基づき、表示装置５０２に別コンテンツの場面を表示したあと図９の同一場面表示制御処理を終了して図８のステップＳ１４以降の処理を行う。例えば同一場面表示制御部２６は図５の同一場面対応付け情報の場合、表示装置５０２に表示されているコンテンツＡのページと対応付けられているコンテンツＢのシーンの再生を開始するか、又は、シーンの頭出しを行う。
【００２８】
図１０は本発明の一実施形態に係るコンテンツ表示装置の画面イメージ図である。図８のステップＳ１１では例えば図１０（Ａ）に示す画面が表示される。図１０（Ａ）の画面はコミックの形態のコンテンツが表示された例である。図１０（Ａ）の画面には同一場面表示ボタン１０００が設けられている。ユーザは同一場面表示ボタン１０００を押下することにより同一場面表示操作を行う。なお、同一場面表示ボタン１０００の押下は同一場面表示操作の一例であって、例えばタッチパネルに対するフリック操作などのアクションにより同一場面表示操作を行えるようにしてもよい。同一場面表示ボタン１０００の押下により、ユーザはコンテンツ表示装置１０に図１０（Ｂ）に示す画面を表示させることができる。図１０（Ｂ）の画面は、アニメの形態のコンテンツが表示された例である。図１０（Ｂ）の画面には同一場面表示ボタン１００２が設けられている。ユーザは同一場面表示ボタン１００２を押下することでも同一場面表示操作を行うことができる。
【００２９】
図１０の画面イメージは一例であって、コンテンツ表示装置１０は同一場面表示制御処理により例えば図１１に示すような画面を表示してもよい。図１１は本発明の一実施形態に係るコンテンツ表示装置の画面イメージ図である。図１１（Ａ）は同一場面表示操作が行われる前の画面イメージである。ユーザにより同一場面表示ボタン１０００が押下されると、コンテンツ表示装置１０は例えば図１１（Ｂ）に示す画面を表示装置５０２に表示する。図１１（Ｂ）の画面は、図１１（Ａ）に表示されていたコンテンツＡの場面と、図１１（Ａ）で表示中であったコンテンツＡの場面と対応付けられているコンテンツＢの場面とが両方表示されている。図１１（Ｂ）の画面によれば、ユーザは同一のストーリーに基づいて作成された複数のコンテンツの同一場面について、より簡単に比較できる。本実施形態ではコンテンツを表示中にユーザが同一場面表示ボタン１０００を押下する例を示したが、表示中のコンテンツのコマをユーザが指定したあとで同一場面表示ボタン１０００の押下を受け付けるようにしてもよい。
【００３０】
本発明は、具体的に開示された上記の実施形態に限定されるものではなく、特許請求の範囲から逸脱することなく、種々の変形や変更が可能である。
【符号の説明】
【００３１】
１    情報処理システム
１０    コンテンツ表示装置
１２    サーバ装置
１４    ネットワーク
２０    表示コンテンツ取得部
２２    コンテンツ表示制御部
２４    同一場面表示操作受付部
２６    同一場面表示制御部
２８    コンテンツ記憶部
３０    同一場面対応付け情報記憶部
３２    コンテンツ表示部
３４    コンテンツ表示操作受付部
４０    表示コンテンツ提供部
４２    コンテンツ記憶部
４４    同一場面対応付け情報記憶部
４６    コンテンツ表示制御部
４８    同一場面表示制御部
５０１    入力装置
５０２    表示装置
５０３    外部Ｉ／Ｆ
５０３ａ    記録媒体
５０４    ＲＡＭ
５０５    ＲＯＭ
５０６    ＣＰＵ
５０７    通信Ｉ／Ｆ
５０８    ＨＤＤ
１０００、１００２    同一場面表示ボタン
Ｂ    バス
【図１】
2017156838.tif 000003
【図２】
2017156838.tif 000004
【図３】
2017156838.tif 000005
【図４】
2017156838.tif 000006
【図５】
2017156838.tif 000007
【図６】
2017156838.tif 000008
【図７】
2017156838.tif 000009
【図８】
2017156838.tif 000010
【図９】
2017156838.tif 000011
【図１０】
2017156838.tif 000012
【図１１】
2017156838.tif 000013